(57)【要約】【課題】ＬＥＤあるいはＥＬ光源を用いて、薄く、軽く、かつ小さい文字等も明瞭に立体表示可能な器具を提供することを目的とする。【解決手段】本発明の表示器具は、表示面に光を透過する表板３（透明樹脂平板にハーフミラーフィルムを施工）を持ち、裏板（平板に反射物質膜を施工）との中間に文字や図形を形成した表示パネル８を配置する形で構成される。表示パネル８には表示したいパターンそのもの又はそのパターンをくりぬき加工した物であり、ＬＥＤ又はＥＬ素子光源は表示パネル８の端面に配置される。これにより立体的な表示が可能となる。【選択図】図１
2012189969.tif 000002
【特許請求の範囲】
【請求項１】
文字、図形などを立体的に表示可能な表示器具であって、
一定幅の枠体と、
前記枠体の両側面に、ハーフミラーからなる表板と、内面に反射物質膜を有する裏板とを備え、
ＬＥＤ又はＥＬ素子光源をその厚さ方向端面に有する、文字、図形などの形状からなる平板状表示パネルが、前記表板と前記裏板とに挟まれた状態で、前記枠体内に保持されることを特徴とする表示器具。
【請求項２】
端面が、ＬＥＤ又はＥＬ素子光源を接着可能なかぎりの端面であることを特徴とする請求項１に記載の表示器具。
【請求項３】
ハーフミラーが、透明樹脂平板の内面に、アルミニウム等の金属を蒸着するか、あるいは、該金属を透明又は半透明の樹脂フィルムに蒸着等で金属薄膜を形成してなるハーフミラーフィルムを貼り付けることを特徴とする請求項１又は２に記載の表示器具。
【請求項４】
反射物質膜が高反射フィルムであることを特徴とする請求項１又は２に記載の表示器具。
【請求項５】
枠体の幅が表示パネルの厚さよりも大きく、表板が表示パネルに接着してなることを特徴とする請求項１又は２に記載の表示器具。
【請求項６】
枠体の幅が表示パネルの厚さよりも小さく、表板が表示パネルに接着してなることを特徴とする請求項１又は２に記載の表示器具。
【請求項７】
文字、図形などを立体的に表示可能な表示器具であって、
文字、図形などがくりぬかれ、ＬＥＤ又はＥＬ素子光源をそのくりぬかれた厚さ方向端面に有する平板状表示パネルを備え、
前記表示パネルが、表面側に位置する平板状ハーフミラーと裏面側に位置する内面に反射物質膜を有する平板とに挟まれた状態で保持されることを特徴とする表示器具。
【請求項８】
ハーフミラーが、透明樹脂平板の内面であって、表示パネルの文字、図形などがくりぬかれたくりぬき部分に当たる面に、アルミニウム等の金属を透明又は半透明の樹脂フィルムに蒸着等で金属薄膜を形成してなるハーフミラーフィルムを貼り付けられ、前記透明樹脂平板の外面であって、前記くりぬき部分以外に当たる面に、不透明フィルムを貼り付けられ、
反射物質膜が高反射フィルムであることを特徴とする請求項７に記載の表示器具。
【発明の詳細な説明】
【技術分野】
【０００１】  本発明は、内部照明にＬＥＤ又はＥＬ（エレクトロ・ルミネッセンス）素子光源を用い、任意の図形、文字等を立体的に表示可能な表示器具に関する。
【背景技術】
【０００２】  看板など屋内外で使用される図形や文字を立体表示する器具に関しては、例えば、特許文献１〜３が開示されている。また、光源にＬＥＤを使用する場合に、光量を増加する技術が特許文献４に開示されている。
【先行技術文献】
【特許文献】
【０００３】
【特許文献１】  特開２０００−４７６１３号公報
【特許文献２】  特開２００３−２０２８２４号公報
【特許文献３】  特開２００６−５８３９４号公報
【特許文献４】  特開２００９−１９９８０３号公報
【発明の概要】
【発明が解決しようとする課題】
【０００４】  しかしながら、上記の特許文献１に示される技術は、板ガラスや鏡を用いることにより、器具全体が大きく重くなるという問題がある。また、特許文献２の技術では、表示したい文字等が小さい場合は認識できなくなるという問題がある。また、特許文献３の技術では表示したいパターンが幾重にも重なって見えるために、表示が見えにくいという問題がある。一方、光源としてＬＥＤ又はＥＬ素子を使用する場合、光源の光量が少ないために、文字等を明瞭に表示するためには多数の素子を使用しなければならない。特許文献４に開示される技術は、ＬＥＤ素子光源から効率よく光を取り出すものであるが、光源を背面に配置するために器具自体が厚くなり、表裏両面の表示ができないという問題がある。本発明は上記問題に鑑み、ＬＥＤ又はＥＬ素子光源を用いて、薄く、軽く、表示する図形や文字も明瞭であり、かつ、立体表示が可能な器具を提供することを目的とする。
【課題を解決するための手段】
【０００５】  本発明は、上記課題を解決するために、第１手段は、文字、図形などを立体的に表示可能な表示器具であって、一定幅の枠体と、前記枠体の両側面に、ハーフミラーからなる表板と、内面に反射物質膜を有する裏板とを備え、ＬＥＤ又はＥＬ素子光源をその厚さ方向端面に有する、文字、図形などの形状からなる平板状表示パネルが、前記表板と前記裏板とに挟まれた状態で、前記枠体内に保持されることを特徴とする。【０００６】  また、第２手段は、第１手段に記載の表示器具であって、端面がＬＥＤ又はＥＬ素子光源を接着可能なかぎりの端面であることを特徴とする。【０００７】  また、第３手段は、第１又は第２手段に記載の表示器具であって、ハーフミラーが、透明樹脂平板の内面に、アルミニウム等の金属を蒸着するか、あるいは、該金属を透明又は半透明の樹脂フィルムに蒸着等で金属薄膜を形成してなるハーフミラーフィルムを貼り付けることを特徴とする。【０００８】  また、第４手段は、第１又は第２手段に記載の表示器具であって、反射物質膜が高反射フィルムであることを特徴とする。【０００９】  また、第５手段は、第１又は第２手段に記載の表示器具であって、枠体の幅が表示パネルの厚さよりも大きく、表板が表示パネルに接着してなることを特徴とする。【００１０】  また、第６手段は、第１又は第２手段に記載の表示器具であって、枠体の幅が表示パネルの厚さよりも小さく、表板が表示パネルに接着してなることを特徴とする。【００１１】  また、第７手段は、文字、図形などを立体的に表示可能な表示器具であって、文字、図形などがくりぬかれ、ＬＥＤ又はＥＬ素子光源をそのくりぬかれた厚さ方向端面に有する平板状表示パネルを備え、前記表示パネルが、表面側に位置する平板状ハーフミラーと裏面側に位置する内面に反射物質膜を有する平板とに挟まれた状態で保持されることを特徴とする。【００１２】  また、第８手段は、第７手段に記載の表示器具であって、ハーフミラーが、透明樹脂平板の内面であって、表示パネルの文字、図形などがくりぬかれたくりぬき部分に当たる面に、アルミニウム等の金属を透明又は半透明の樹脂フィルムに蒸着等で金属薄膜を形成してなるハーフミラーフィルムを貼り付けられ、前記透明樹脂平板の外面であって、前記くりぬき部分以外に当たる面に、不透明フィルムを貼り付けられ、反射物質膜が高反射フィルムであることを特徴とする。
【発明の効果】
【００１３】  本発明の表示器具は、表板にハーフミラーを、裏板に反射物質膜を備え、表示パネルの端面にＬＥＤ又はＥＬ素子光源を有することにより、少ない光源で明瞭な表示を可能とし、軽く薄い表示器具を提供できる。さらに、表示器具内部で光が反射することにより、図形や文字を明瞭に、かつ、あたかも宙に浮いたように立体的に表示可能である。
【図面の簡単な説明】
【００１４】
【図１】  凸表示器具の表示例である。
【図２】  端面に光源（ＬＥＤテープ）を貼り付けた表示パネルである。
【図３】  図１のＸ−Ｘ断面図である。
【図４】  凹表示器具の表示例である。
【図５】  図４のＹ−Ｙ断面図である。
【図６】  凸表示器具の表板を内側に湾曲させた場合の表示例である。
【図７】  図６のＺ−Ｚ断面図である。
【発明を実施するための形態】
【００１５】  以下、本発明について図を用いて説明する。図１は、本発明の代表的な実施形態である。凸表示器具１は、透明樹脂平板３１の内面に、アルミニウム等の金属を透明又は半透明の樹脂フィルムに蒸着等で金属薄膜を形成してなるハーフミラーフィルム３２を貼り付けた表板３と、平板４１の内面に反射物質膜４２を施工した裏板４とを備え、また、表板３と裏板４とに挟まれた一定幅の枠体７、さらには、表示したいパターンを形成した表示パネル８により構成される。この表示パネル８は表示したい文字や図形の形状をしており、周囲の端面に光源５（例えば、ＬＥＤテープ）を貼り付けることで、表板３と裏板４との間に反射光が現れ、文字や図形を宙に浮いたかのように見せる視覚効果が現れる。また、見る角度により立体的に見せる効果が得られる。
【００１６】  図２は、図１の凸表示器具１内の表示パネル８である。表示パネル８は表裏面が平坦で厚さが均一な板状であって、表裏面以外の一部ないしは全部の端面に光源５（ここでは、例としてＬＥＤテープを用いている）を貼り付けてある。なお、施工上、可能なかぎり全部に貼り付けることで表示効果は大きくなる。また、表示器具は図１の例では四角形の箱状であるが、円形や多角形などさまざまな形の箱状であってよい。
【００１７】  図２の表示パネル８を表板３と裏板４との中間に配置することで、ハーフミラーフィルム３２と反射物質膜４２との間で反射光が得られるため、表示パネル８が立体的で宙に浮いたように見える。この視覚効果は、図３に示す空間６の存在が反射光の強弱を生み出すことで得られるもので、反射光が弱い空間では暗いブラックホールの様になり表示が鮮明に現れる。
【００１８】  この例では、光源５を表示パネル８の端面のみに配置しているが、外周に施工した枠体７には弱い光が届くため、枠体７にも反射光が得られる。この施工の条件として、枠体７に例えばスポンジやスチレンボード等の柔らかく光を吸収しやすい物を使用することで、光源５の光が枠体７に吸い込まれ、枠体７も立体的に見える。枠体７の幅は任意であるが、１５〜３０ｍｍとすることで良好な効果が得られる。
【００１９】  本発明では、非常に薄く軽量に製作することを可能にするために、光源５にＬＥＤテープやＥＬ素子を用いる。ＬＥＤテープやＥＬ素子を用いることで、表示パネル８の形状や文字が複雑であっても光源５の接着が容易なために製作が可能となる。しかも、光源５にＬＥＤやＥＬ素子を用いることで消費電力を低減でき、室内利用に当たっては、発熱量も少ないためにランニングコストを軽減することも可能になる。
【００２０】  先にも述べたが、本表示器具は非常に薄く製作することが可能である。表示パネル８及び枠体７は、光源の幅に応じて選択する。例えば、光源５をＬＥＤテープで製作する場合は７〜１２ｍｍである。光源５と同等の厚みで製作した表示パネル８を用いることで、表板３と裏板４に光源５を密着施工でき、反射光１０をより鮮明に得ることができる。なお、光源５がＥＬ素子の場合、表示パネル８の厚さは１〜２ｍｍとなる。
【００２１】  図３は図１のＸ−Ｘ断面図である。表板３は、アクリル板やポリカーボネート樹脂等の透明樹脂平板３１と、その内面に貼ったハーフミラーフィルム３２よりなる。なお、表板は透明樹脂平板の内面にアルミニウム等の金属を蒸着したハーフミラーであってもよい。表板３と、反射物質膜４２を樹脂製の平板４１に施工した裏板４との間の周囲には、枠体７が配置され、その枠体７内に表示パネル８が配置される。この施工の際、枠体７の幅と表示パネル８の厚みは同一が良いが、同一で無くとも製作は可能である。これについては図６、７において説明する。
【００２２】  本発明は、枠体７内に表示パネル８を施工してある。例えば、図２を参考に説明するが、図２の文字の外側端面に光源５を配置することを特徴とする。この特徴により、表示したいパターンの周囲に配置した光源５が幾重にも重なって見えていく。また、表示パネル８と枠体７とで形成される空間６には光源等が無いために光が現れず、表示したいパターンを形成した表示パネル８が、まるで宙に浮いたように暗闇から浮き出てくるような視覚効果が得られる。しかも、光源５が幾重にも重なって見えていく効果と相俟って、今までには見たことのない立体的な視覚効果が得られるディスプレイが完成する。
【００２３】  図４は凹表示器具２の実施形態に関わる図である。凹表示器具２は凸表示器具と同様に、表板３と裏板４との間に表示パネル８を施工してある。しかし、表示パネル８が凸表示器具１とは異なり、表示したいパターンをくりぬいた物である。
【００２４】  表示パネル８はパネル自体に図形や文字をくりぬいて製作し、ここに空間６を作り出す。この抜き取った端面に光源５を貼り付ける。凹表示器具２は凸表示器具１と同様な構成であるため、表板３と裏板４との間で反射光が空間６の中で得られ、表示したいパターンを立体的に鮮明に表示することが可能になる。この凹表示器具２は、空間６の中に反射光を作るために、表示したいパターンをより鮮明で立体的に表現できる。また、この施工方法は視覚的効果が大きく、取り付けの角度等で今までに無い立体的な表示器具が製作できる。
【００２５】  図５は図４のＹ−Ｙ断面図の一部を示したものである。本発明では、表示したいパターンをくりぬき形成した表示パネル８の文字などの端面に光源５を貼り付け、さらに表板３の外側表面に表示パネル８と同じパターンを切り抜き形成した不透明フィルム９を施工する。この施工により光源５が点灯しない状態においては表板３のパターンは鏡面状になり、周囲は不透明フィルム９により、表示したいパターンのみを表示することが可能になる。この施工により非常に上品で高級感のあるディスプレイとなる。
【００２６】  図６は、先にも述べた枠体７の幅と表示パネル８の厚みが異なる場合の表示例である。この例では枠体７の幅が表示パネル８の厚さよりも厚いために、表板３を多少内側に湾曲させ表示パネル８と接着して施工する。この枠体７の厚さは表示パネル８の厚さよりも１〜２ｍｍ厚くすることがよい。こうすることで、反射光１０が図７のＺ−Ｚ断面図に示すように広がり、表示パターンが広がって見えていくような視覚効果を得ることができる。この視覚効果は凸表示器具１でより大きく現れる。
【００２７】  図には無いが、枠体７を表示用パネル８の厚さよりも小さくすることで、表示パターンが吸い込まれていくように見せることができる。なお、凹表示器具２においても、表板３を湾曲させることで、先に述べた反射光を空間６内に得ることが可能である。
【００２８】  さらに、図には無いが、上記いずれの施工においても、裏板４を表板３と同じハーフミラー仕様とすれば表裏両面から表示パターンを見せることが可能になる。
【００２９】  また、本発明は、表板３と裏板４との中間に枠体７及び表示パネル８を備えた物が基本構造となるため、現在使用している看板等にも差し替え等が簡単にできる。
【００３０】  凸表示器具１においては、ディスプレイ用に軽く美しく施工するためには、表板３はハーフミラー板を使用し、裏板４にアクリル樹脂等の全反射ミラー板を使用することが望ましく、より薄く軽く、さらには美しいディスプレイを製作することができる。ハーフミラー板の光透過率は３０％以下にすることで光の現れ方が鮮明になり、さらには点灯していない状態では、表示パネル８や光源５等が全く表示面に現れず、鏡状になるため良好な外見の物が完成する。
【００３１】  なお、凹表示器具２においては、抜き取り形成した不透明フィルム９を透明樹脂平板３１の表面に施工し、この透明樹脂平板３１の裏面には抜き取り加工した図形文字等の裏面にのみハーフミラーフィルム３２を施工することでコストダウンが図れる。
【００３２】  凸表示器具１及び凹表示器具２は、先に述べた材料を使うことで曲げ加工も可能になる。
【００３３】  本発明は薄く軽いために、テーブルの飾り、壁掛け、店頭ディスプレイ等に使用することが可能であり、壁等に施工する際は取付ける場所を選ばず施工することが可能である。
【符号の説明】
【００３４】  １  凸表示器具
２  凹表示器具
３  表板
３１  透明樹脂平板
３２  ハーフミラーフィルム
４  裏板
４１  平板
４２  反射物質膜
５  光源
６  空間
７  枠体
８  表示パネル
９  不透明フィルム
１０  反射光
【図１】
2012189969.tif 000003
【図２】
2012189969.tif 000004
【図３】
2012189969.tif 000005
【図４】
2012189969.tif 000006
【図５】
2012189969.tif 000007
【図６】
2012189969.tif 000008
【図７】
2012189969.tif 000009
【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
文字、図形などを立体的に表示可能な表示器具であって、
一定幅の枠体と、
前記枠体の両側面に、ハーフミラーからなる表板と、内面に反射物質膜を有する裏板とを備え、
文字、図形などの形状からなる均一な厚さの平板であって、その厚さ方向端面全てにＬＥＤ又はＥＬ素子光源が接着された表示パネルが、前記端面の周囲に空間を有した状態で前記表板と前記裏板とに挟まれ、かつ、前記枠体内に保持されることを特徴とする表示器具。
【請求項２】
枠体の幅が表示パネルの厚さに比べて大きいかあるいは小さく、表板が当該表示パネルの表面に接着してなることを特徴とする請求項１に記載の表示器具。
【請求項３】
文字、図形などを立体的に表示可能な表示器具であって、
文字、図形などがくりぬかれた均一な厚さの平板であって、そのくりぬかれた厚さ方向端面全てにＬＥＤ又はＥＬ素子光源が接着された、表示パネルの全体が、ハーフミラーからなる表板と、内面に反射物質膜を有する裏板とに挟まれた状態で保持されることを特徴とする表示器具。
【請求項４】
表板が、
透明樹脂平板の一方の面であって、表示パネルの文字、図形などがくりぬかれたくりぬき部分に当たる面に、アルミニウム等の金属を透明又は半透明の樹脂フィルムに蒸着等で金属薄膜を形成してなるハーフミラーフィルムが貼り付けられており、
かつ、前記一方の面と対向する他方の面であって、前記くりぬき部分以外に当たる面に不透明フィルムが貼り付けられた構造を有することを特徴とする請求項３に記載の表示器具。
【手続補正２】
【補正対象書類名】明細書
【補正対象項目名】０００５
【補正方法】変更
【補正の内容】
【０００５】  本発明は、上記課題を解決するために、第１の手段は、文字、図形などを立体的に表示可能な表示器具であって、一定幅の枠体と、前記枠体の両側面に、ハーフミラーからなる表板と、内面に反射物質膜を有する裏板とを備え、文字、図形などの形状からなる均一な厚さの平板であって、その厚さ方向端面全てにＬＥＤ又はＥＬ素子光源が接着された表示パネルが、前記端面の周囲に空間を有した状態で前記表板と前記裏板とに挟まれ、かつ、前記枠体内に保持されることを特徴とする。
【手続補正３】
【補正対象書類名】明細書
【補正対象項目名】０００６
【補正方法】変更
【補正の内容】
【０００６】  また、第２手段は、第１手段に記載の表示器具であって、枠体の幅が表示パネルの厚さに比べて大きいかあるいは小さく、表板が当該表示パネルの表面に接着してなることを特徴とする。
【手続補正４】
【補正対象書類名】明細書
【補正対象項目名】０００７
【補正方法】変更
【補正の内容】
【０００７】  また、第３手段は、文字、図形などを立体的に表示可能な表示器具であって、文字、図形などがくりぬかれた均一な厚さの平板であって、そのくりぬかれた厚さ方向端面全てにＬＥＤ又はＥＬ素子光源が接着された、表示パネルの全体が、ハーフミラーからなる表板と、内面に反射物質膜を有する裏板とに挟まれた状態で保持されることを特徴とする
【手続補正５】
【補正対象書類名】明細書
【補正対象項目名】０００８
【補正方法】変更
【補正の内容】
【０００８】  また、第４の手段は、第３手段に記載の表示器具であって、表板が、透明樹脂平板の一方の面であって、表示パネルの文字、図形などがくりぬかれたくりぬき部分に当たる面に、アルミニウム等の金属を透明又は半透明の樹脂フィルムに蒸着等で金属薄膜を形成してなるハーフミラーフィルムが貼り付けられており、かつ、前記一方の面と対向する他方の面であって、前記くりぬき部分以外に当たる面に不透明フィルムが貼り付けられた構造を有することを特徴とする
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】